(57)【要約】【課題】ディジタル方式の放送の視聴可能条件を拡張する。【解決手段】ＨＤＴＶ方式（ハイビジョン方式）の信号のデコード処理を行なう通常放送用プロセッサ１と、１セグメント方式（簡易動画方式）の信号のデコード処理を行なう簡易放送用プロセッサ３１をそれぞれ備え、ＨＤＴＶ方式の放送の受信操作がなされると、通常放送用プロセッサ１は、ＯＦＤＭ復調マスタ部４から入力した信号に含まれるＨＤＴＶ方式の信号のデコード処理を行ない、デコード処理の結果得られる画像信号や音声信号を画像出力処理部４１や音声処理部４５に出力する。また、１セグメント方式の放送を受信するための操作がなされると、簡易放送用プロセッサ３１は、ＯＦＤＭ復調マスタ部４から入力した信号に含まれる１セグメント方式の信号のデコード処理を行ない、デコード処理の結果得られる画像信号や音声信号を画像出力処理部４１や音声処理部４５に出力する。【選択図】      図１
2006042060.tif 000002
【特許請求の範囲】
【請求項１】
ディジタル方式の放送電波を受信・選局する受信選局部と、
この受信選局した放送電波に含まれる、第１の帯域幅をもつ信号を処理する第１の信号処理回路と、
前記第１の信号処理回路と比較して消費電力が少なく、かつ、前記受信選局した放送電波に含まれる、前記第１の帯域幅と比較して狭い第２の帯域幅をもつ信号を処理する第２の信号処理回路と
を備えたことを特徴とする放送受信装置。
【請求項２】
ディジタル方式の放送電波を受信・選局する受信選局部と、
この受信選局した放送電波に含まれる、第１の帯域幅をもつ信号を処理する第１の信号処理回路と、
この第１の信号処理回路と比較して動作可能温度範囲が広く、かつ、前記受信選局した放送電波に含まれる、前記第１の帯域幅と比較して狭い第２の帯域幅をもつ信号を処理する第２の信号処理回路と
を備えたことを特徴とする放送受信装置。
【請求項３】
前記第１の信号処理回路による処理、および、前記第２の信号処理回路による処理のいずれかを指示する指示手段と、
前記第１の信号処理回路の動作温度を測定する測定手段と、
この測定した温度が前記第１の信号処理回路の動作可能温度範囲外にある場合には、前記指示手段により前記第１の信号処理回路による処理が指示されていた場合でも、この第１の信号処理回路による処理がなされないようにし、代わって、前記第２の信号処理回路による処理がなされるように制御する制御手段と
をさらに備えたことを特徴とする請求項２に記載の放送受信装置。
【請求項４】
ディジタル方式の放送電波を受信・選局する受信選局部と、
この受信選局した放送電波に含まれる、第１の帯域幅をもつ信号を処理する第１の信号処理回路と、
前記第１の信号処理回路と比較して消費電力が少なく、かつ、前記受信選局した放送電波に含まれる、前記第１の帯域幅と比較して狭い第２の帯域幅をもつ信号を処理する第２の信号処理回路と、
前記第１の信号処理回路による処理、および、前記第２の信号処理回路による処理のいずれかを指示する指示手段と、
前記第１および第２の信号処理回路に駆動電力を供給する電源回路と、
この電源回路に外部電源が供給されているか否かを検出する電源検出手段と、
この電源検出手段により、前記電源回路に外部電源が供給されていないことが検出された場合には、前記指示手段により前記第１の信号処理回路による処理が指示されていた場合でも、この第１の信号処理回路による処理がなされないようにし、代わって、前記第２の信号処理回路による処理がなされるように制御する制御手段と
を備えたことを特徴とする放送受信装置。
【請求項５】
ディジタル方式の放送電波を受信・選局する受信選局部と、
この受信選局した放送電波に含まれる、第１の帯域幅をもつ信号を処理する第１の信号処理回路と、
前記第１の信号処理回路と比較して消費電力が少なく、かつ、前記受信選局した放送電波に含まれる、前記第１の帯域幅と比較して狭い第２の帯域幅をもつ信号を処理する第２の信号処理回路と、
前記第１の信号処理回路による処理、および、前記第２の信号処理回路による処理のいずれかを指示する指示手段と、
前記第１および第２の信号処理回路に駆動電力を供給する電源回路と、
この電源回路に外部電源が供給されているか否かを検出する電源検出手段と、
この電源検出手段により、前記電源回路に外部電源が供給されておらず、バッテリからの電源が供給されていると検出された場合に、前記バッテリの電力残量の値を検出する手段と、
この検出された電力残量の値が予め定められた条件を満たしていない場合には、前記指示手段により前記第１の信号処理回路による処理が指示されていた場合でも、この第１の信号処理回路による処理がなされないようにし、代わって、前記第２の信号処理回路による処理がなされるように制御する制御手段と
を備えたことを特徴とする放送受信装置。
【発明の詳細な説明】
【技術分野】
【０００１】
本発明は、ディジタル方式の放送電波を受信する機能を有する放送受信装置に関する。
【背景技術】
【０００２】
従来、テレビ放送受信装置の中には、地上波ディジタルテレビ放送や地上波ディジタル音声放送などのディジタル方式の放送電波を受信して、この放送電波に含まれるＨＤＴＶ（High Definition Television）方式の信号に対するデコード処理を施した上で高精細な画像情報をモニタ出力するものがある（例えば特許文献１参照）。
【特許文献１】特開２００３−２３５８２号公報
【発明の開示】
【発明が解決しようとする課題】
【０００３】
一般的に、ＨＤＴＶ方式の放送電波の受信回路は、通常のアナログ方式の放送電波の受信回路と比較して、その動作可能温度範囲が狭い。また、ＨＤＴＶ方式用の受信回路は通常のアナログ方式用の受信回路と比較して消費電力が高いので、バッテリ駆動時の動作可能時間が限られてしまう。これらの理由により、ユーザがＨＤＴＶ方式の放送の内容を見ることができる条件が限られてしまい、例えば自動車の内部に装置を設置する場合など、温度上昇が起き易い条件下では長時間にわたって放送視聴を継続することが難しかった。
【０００４】
そこで、本発明の目的は、ディジタル方式の放送の視聴可能条件を拡張することが可能になる放送受信装置を提供することにある。
【課題を解決するための手段】
【０００５】
本発明に係わる放送受信装置は、受信選局部により受信選局したディジタル方式の放送電波に含まれる、第１の帯域幅をもつ信号を処理する第１の信号処理回路と、この第１の信号処理回路と比較して動作可能温度範囲が広く、かつ受信選局した放送電波に含まれる、第１の帯域幅と比較して狭い帯域幅をもつ信号を処理する第２の信号処理回路とを備えたことを特徴とする。
【０００６】
あるいは、受信選局部により受信選局したディジタル方式の放送電波に含まれる、第１の帯域幅をもつ信号を処理する第１の信号処理回路と、この第１の信号処理回路と比較して消費電力が少なく、かつ、受信選局した放送電波に含まれる、第１の帯域幅と比較して狭い帯域幅をもつ信号を処理する第２の信号処理回路とを備えたことを特徴とする。
【発明の効果】
【０００７】
本発明に係わる放送受信装置では、受信選局部により受信選局したディジタル方式の放送電波に含まれる、第１の帯域幅をもつ信号を処理する第１の信号処理回路と、この第１の信号処理回路と比較して動作可能温度範囲が広く、かつ、受信選局した放送電波に含まれる、第１の帯域幅と比較して狭い帯域幅をもつ信号を処理する第２の信号処理回路とをそれぞれ設けたので、装置の周囲温度が第１の信号処理回路の動作可能範囲外であっても、第２の信号処理回路により放送視聴が可能になる。よってディジタル方式の放送の視聴可能条件を拡張することができる。
【０００８】
また、本発明に係わる放送受信装置では、受信選局部により受信選局したディジタル方式の放送電波に含まれる、第１の帯域幅をもつ信号を処理する第１の信号処理回路と、この第１の信号処理回路と比較して消費電力が少なく、かつ、受信選局した放送電波に含まれる、第１の帯域幅と比較して狭い帯域幅をもつ信号を処理する第２の信号処理回路とをそれぞれ設けたので、装置本体に外部電源が供給されておらず、この装置本体がバッテリからの電源供給により動作している場合であっても、長時間にわたった放送視聴が可能になる。よってディジタル方式の放送の視聴可能条件を拡張することができる。
【発明を実施するための最良の形態】
【０００９】
以下図面により本発明の実施形態について説明する。  
図１は、本発明の実施形態にしたがった放送受信装置の構成例を示すブロック図である。  
この放送受信装置は、室内または車載用の放送受信装置であり、例えば地上波ディジタルテレビ放送などのディジタル方式の放送電波を受信して、この放送電波に含まれる映像信号および音声信号に対するデコード処理を行なって映像のモニタ表示および音声のスピーカ出力を行なう機能を有している。
【００１０】
ディジタル方式の放送電波には、高精細な画像情報および音声情報が含まれるＨＤＴＶ（High Definition Television）方式（ハイビジョン方式）の信号と、ＨＤＴＶ方式の信号と比較して帯域幅が狭い画像情報および音声情報が含まれる１セグメント方式（簡易動画方式）の信号が含まれる。このテレビ受信装置は、放送局から送信された放送電波を受信して、この放送電波に含まれるＨＤＴＶ方式の信号、または１セグメント方式の信号のいずれかに対するデコード処理を行なって、映像のモニタ表示および音声のスピーカ出力を行なう。
【００１１】
図１に示した放送受信装置は、放送局からの放送電波に含まれるＨＤＴＶ方式の信号に対するデコード処理を行なう通常放送用プロセッサ１を備える。通常放送用プロセッサ１は、ディジタルテレビ受信機のバックエンド処理機能を有するプロセッサの一種である。また、放送局から、ＯＦＤＭ（直交周波数分割多重変調：Orthogonal Frequency Division Multiplex）方式より変調されて送信されたディジタル方式の放送電波を受信するアンテナ２、アンテナ２が受信した放送電波から、予め選択した放送局の電波を選局するチューナ３、この選局により得られた信号を復調するＯＦＤＭ復調マスタ部４を備える。
【００１２】
この放送受信装置は、例えば空間ダイバシティなどのダイバシティ方式による受信機能を有しており、アンテナ２と同じ機能を有するアンテナ５が受信した放送電波から、予め選択した放送局の電波を選局するチューナ６、および、この選局により得られた信号を復調するＯＦＤＭ復調スレーブ部７を備える。ＯＦＤＭ復調スレーブ部７はＯＦＤＭ復調マスタ部４と接続され、このＯＦＤＭ復調マスタ部４は、自身が検波した信号とＯＦＤＭ復調スレーブ部７が検波した信号とを合成して復調した後通常放送用プロセッサ１に出力する。
【００１３】
通常放送用プロセッサ１はＴＳＰ（Transport Stream Demultiplexing Processor）１１を備える。このＴＳＰ１１は、ＯＦＤＭ復調マスタ部４から入力した信号に含まれるＨＤＴＶ方式の信号を入力し、この信号を、ＭＰＥＧ方式で圧縮された画像信号および音声信号などに分離し、また、視聴制限が施されている信号に対するデスクランブル処理を行なう。
【００１４】
また、通常放送用プロセッサ１は、ＴＳＰ１１により分離された画像信号のデコード処理を行なうＭＰＥＧ処理部１２、ＴＳＰ１１により分離された音声信号のデコード処理を行なうＤＳＰ（Digital Signal Processor）１３、ＭＰＥＧ処理部１２によりデコードした信号で表される画像のサイズを所望のサイズに変換するスケーリング部１４、文字情報などをデコード後の画像に重畳するＯＳＤ（On Screen Display）１５、および、ＭＰＥＧ処理部１２によりデコードした信号をＮＴＳＣ方式のビデオ信号にエンコードするＮＴＳＣ処理部１６を備える。また、通常放送用プロセッサ１は、Ｂ−ＣＡＳカード２１、ＤＲＡＭ２２と接続される。
【００１５】
図１に示した放送受信装置は、放送局からの放送電波に含まれる１セグメント方式の信号に対するデコード処理を行なう簡易放送用プロセッサ３１を備える。このプロセッサ３１は、ＯＦＤＭ復調マスタ部４から１セグメント方式の信号を入力し、この信号を、ＭＰＥＧ４やＨ．２６４などの簡易動画方式で圧縮された画像信号および音声信号に分離するＴＳＰ３２、および、ＴＳＰ３２で分離された画像信号や音声信号に対するデコード処理を行なう１セグメントデコーダ部３３を備える。簡易放送用プロセッサ３１は、ＨＤＴＶ方式の信号のデコード処理を行なう通常放送用プロセッサ１と比較して動作可能温度範囲が広く、消費電力も少ない。
【００１６】
また、簡易放送用プロセッサ３１は、現在の温度を測定する温度センサ３４、および、放送受信装置に対する各種操作を行なうリモコン（図示せず）からの赤外線信号を受信するリモコン受光部３５と接続される。温度センサ３４により測定する温度は通常放送用プロセッサ１の近傍温度（周囲温度）である。
【００１７】
簡易放送用プロセッサ３１は、リモコン受光部３５を介して入力した信号が通常放送用プロセッサ１の処理にかかる制御信号であった場合には、これを通常放送用プロセッサ１に出力する。また、図示はしないが、簡易放送用プロセッサ３１は、チューナ３などの各部のデバイスと接続されており、リモコン受光部３５からの信号にしたがって、動作制御用の信号を各部のデバイスに出力する。
【００１８】
通常放送用プロセッサ１および簡易放送用プロセッサ３１から出力された画像信号は、信号選択部３６および３７を介して画像出力処理部４１に出力される。画像出力処理部４１は、ディジタルビデオ信号をアナログビデオ信号に変換するＤＡＣ（Ｄ／Ａコンバータ）４２、および、レベル変換やＹＣ混合などの処理を行なうビデオ信号処理部４３を備え、これらの処理にしたがって、コンポジット方式またはコンポーネント方式の画像信号を表示部（モニタ）４４に出力する。
【００１９】
また、通常放送用プロセッサ１および簡易放送用プロセッサ３１から出力された音声信号は、音声処理部４５によるＤ／Ａ変換や増幅処理などを経て音声出力部（スピーカ）４６に出力される。
【００２０】
この放送受信装置に備えられる電源回路５１は電源プラグ５２と接続される。電源回路５１は、電源プラグ５２を外部電源、つまり商用電源のコンセントに接続した上で、リモコンにより電源をオンにするための操作がなされた際に電源電圧を安定化し、各デバイスへ必要な電源電圧に変圧して各デバイスに供給する。また、電源回路５１はバッテリ５３と接続される。電源回路５１は、電源プラグ５２を介して外部電源が得られない場合には、バッテリ５３から電源を得て、これを各デバイスに供給する。
【００２１】
電源回路５１は、外部電源が供給されているか否かを検出する電源状態検出部５４、およびバッテリ５３のバッテリ電力容量の残量を検出する残量検出部５５と接続される。具体的に説明すると、外部電源の電源電圧とバッテリ５３の電源電圧は異なるので、電源状態検出部５４は、電源回路５１に供給される電源電圧の値を検出して、外部電源が供給されているか否かを検出する。電源状態検出部５４および残量検出部５５による検出結果は簡易放送用プロセッサ３１に出力される。
【００２２】
また、図１に示した放送受信装置は、アナログ方式の放送を受信する機能を備えている。具体的には、アナログ方式の放送電波を受信するアンテナ６１，６２、このアンテナ６１により受信した放送電波、およびアンテナ６２により受信した放送電波に含まれる信号のうち受信強度の高い電波に含まれる信号を選択するダイバシティ回路６３、チューナ６４、ＩＦ処理部６５、画像処理部６６および音多復調部６７を備える。画像処理部６６は、ＹＣ分離部６８および色信号処理部６９を備えたディジタルＮＴＳＣビデオデコーダである。
【００２３】
次に、図１に示した構成の放送受信装置の動作について説明する。ここでは、ディジタル方式の放送に関する受信およびデコード処理について説明する。  
ユーザが、リモコンの各種キーを用いて、ＨＤＴＶ方式の放送を受信するための操作を行なって、この操作にしたがった制御信号がリモコン受光部３５および簡易放送用プロセッサ３１を介して通常放送用プロセッサ１に入力されると、プロセッサ１は、ＯＦＤＭ復調マスタ部４から入力したＨＤＴＶ方式の信号のデコード処理を行ない、このデコード処理の結果得られる画像信号や音声信号を画像出力処理部４１や音声処理部４５に出力する。この場合、簡易放送用プロセッサ３１は、ＯＦＤＭ復調マスタ部４からの信号入力は行なわず、したがってデコード処理も行なわない。
【００２４】
通常放送用プロセッサ１による処理がなされることで、ＨＤＴＶ方式の信号に含まれる画像情報が表示部４４により表示され、同じくＨＤＴＶ方式の信号に含まれる音声情報が音声出力部４６により出力される。
【００２５】
また、ユーザが、リモコンの各種キーを用いて、１セグメント方式の放送を受信するための操作を行なって、この操作にしたがった制御信号がリモコン受光部３５および簡易放送用プロセッサ３１に入力されると、プロセッサ３１は、ＯＦＤＭ復調マスタ部４から入力した１セグメント方式の信号のデコード処理を行ない、このデコード処理の結果得られる画像信号や音声信号を画像出力処理部４１や音声処理部４５に出力する。この場合、通常放送用プロセッサ１は、ＯＦＤＭ復調マスタ部４からの信号入力は行なわず、したがってＨＤＴＶ方式のデコード処理も行なわない。
【００２６】
簡易放送用プロセッサ３１の処理により、１セグメント方式の信号に含まれる画像情報が表示部４４により表示され、同じく１セグメント方式の信号に含まれる音声情報が音声出力部４６により出力される。
【００２７】
以上説明したように、本発明の実施形態にしたがった放送受信装置では、ＨＤＴＶ方式の信号のデコード処理を行なうプロセッサと、１セグメント方式の信号のデコード処理を行なうプロセッサを独立させており、１セグメント方式の信号のデコード処理を行なう簡易放送用プロセッサ３１の消費電力は、ＨＤＴＶ方式の信号のデコード処理を行なう通常放送用プロセッサ１の消費電力より少ないので、バッテリ駆動時において長時間にわたった放送視聴が可能になる。
【００２８】
また、簡易放送用プロセッサ３１の動作可能温度範囲は、通常放送用プロセッサ１の動作可能温度範囲より大きい。ＨＤＴＶ方式の信号のデコード処理を行なう、動作可能温度範囲の狭いプロセッサに、１セグメント方式の信号のデコード処理機能をもたせたと仮定し、現在の温度が、当該１チップのプロセッサの動作可能温度範囲外にある場合には、ＨＤＴＶ方式の信号のデコード処理も１セグメント方式の信号のデコード処理が正常に行なえなくなる可能性があるが、ＨＤＴＶ方式の信号のデコード処理を行なうプロセッサと独立し、かつ、動作可能温度範囲の広い簡易放送用プロセッサ３１を用いれば、１セグメント方式のデコード処理を継続することができる。よって、ディジタル方式の放送の視聴可能条件を拡張することができる。
【００２９】
本発明の実施形態にしたがった放送受信装置は、動作温度の大小に応じて、デコード処理の対象となる信号を、ＨＤＴＶ方式の信号と１セグメント方式の信号との間で切り替える機能を有する。
【００３０】
図２は、本発明の実施形態にしたがった放送受信装置の、動作温度の大小にしたがった再生切り替え処理の一例を示すフローチャートである。  
まず、ユーザが、リモコンの各種キーを用いて、ＨＤＴＶ方式の放送を受信するための操作を行なって、この操作にしたがった制御信号がリモコン受光部３５および簡易放送用プロセッサ３１に入力される（ステップＳ１）と、プロセッサ３１は、温度センサ３４により測定された、通常放送用プロセッサ１の現在の温度情報を取得する（ステップＳ２）。この時点では、通常放送用プロセッサ１および簡易放送用プロセッサ３１はＯＦＤＭ復調マスタ部４からの信号入力は行なわない。
【００３１】
簡易放送用プロセッサ３１は、通常放送用プロセッサ１の動作可能温度範囲の情報を記憶している。簡易放送用プロセッサ３１は、ステップＳ２の処理で取得した、現在の温度情報と、前述した動作可能温度範囲の情報を比較して、現在の温度が通常放送用プロセッサ１の動作可能温度範囲内にあるか否かを判別する（ステップＳ３）。
【００３２】
ステップＳ３の処理の結果、通常放送用プロセッサ１の現在の動作温度が当該通常放送用プロセッサ１の動作可能温度範囲に含まれていると判別された場合には、簡易放送用プロセッサ３１は、通常放送用プロセッサ１に対し制御信号を出力することでデコード処理の開始の指示を行なう。この場合、簡易放送用プロセッサ３１は、ＯＦＤＭ復調マスタ部４からの信号入力は行なわない。
【００３３】
通常放送用プロセッサ１は、簡易放送用プロセッサ３１による指示にしたがい、ＯＦＤＭ復調マスタ部４から入力したＨＤＴＶ方式の信号のデコード処理を行ない、このデコード処理の結果得られる画像信号や音声信号を画像出力処理部４１や音声処理部４５に出力する（ステップＳ４）。
【００３４】
一方、ステップＳ３の処理の結果、通常放送用プロセッサ１の現在の動作温度が当該通常放送用プロセッサ１の動作可能温度範囲に含まれていないと判別された場合には、簡易放送用プロセッサ３１は、通常放送用プロセッサ１に対するデコード処理の開始の指示を行なわず、ＯＦＤＭ復調マスタ部４から１セグメント方式の信号を入力し、この信号のデコード処理を行ない、このデコード処理の結果得られる画像信号や音声信号を画像出力処理部４１や音声処理部４５に出力する（ステップＳ５）。この場合、通常放送用プロセッサ１は、ＯＦＤＭ復調マスタ部４からの信号入力は行なわない。ここでは、温度センサ３４により測定した温度は簡易放送用プロセッサ３１の動作可能温度範囲内の温度であるとする。
【００３５】
ステップＳ４またはＳ５の処理後は、さらなる温度測定を行なわずに再生を継続してもよいし、ステップＳ２の処理に戻って温度測定を再度行ない、この測定結果にしたがって放送形態の切り替えを再度行なうようにしてもよい。
【００３６】
このような処理を行なえば、通常放送用プロセッサ１の動作温度が予め定められた範囲に含まれていない場合に、通常放送用プロセッサ１によるデコード処理を行なわず、その代わりとして、簡易放送用プロセッサ３１によるデコード処理を行なうようにしたので、現在の温度が、ＨＤＴＶ方式の信号のデコード処理が行なえないような温度であっても、放送視聴を継続することができる。したがって、ディジタル方式の放送視聴を行なうことができる温度の範囲を拡張することが可能になる。
【００３７】
また、本発明の実施形態にしたがった放送受信装置は、外部電源が供給されているか否かに応じて、デコード処理の対象となる信号をＨＤＴＶ方式の信号と１セグメント方式の信号との間で切り替える機能を有する。
【００３８】
図３は、本発明の実施形態にしたがった放送受信装置の、外部電源の供給の有無にしたがった再生切り替え処理の一例を示すフローチャートである。  
まず、ユーザが、リモコンの各種キーを用いて、ＨＤＴＶ方式の放送を受信するための操作を行なって、この操作にしたがった制御信号がリモコン受光部３５および簡易放送用プロセッサ３１に入力される（ステップＡ１）と、プロセッサ３１は、電源状態検出部５４により検出された、電源状態の情報を取得する（ステップＡ２）。この時点では、通常放送用プロセッサ１および簡易放送用プロセッサ３１はＯＦＤＭ復調マスタ部４からの信号入力は行なわない。
【００３９】
簡易放送用プロセッサ３１は、ステップＡ２の処理で取得した情報にしたがって、電源回路５１に外部電源が供給されているか否かを判別する（ステップＡ３）。  
ステップＡ３の処理の結果、外部電源が供給されていると判別された場合には、簡易放送用プロセッサ３１は、前述したステップＳ４の処理と同様に、通常放送用プロセッサ１に対し制御信号を出力することでデコード処理の開始の指示を行なう。この場合、簡易放送用プロセッサ３１は、ＯＦＤＭ復調マスタ部４からの信号入力は行なわない。
【００４０】
通常放送用プロセッサ１は、簡易放送用プロセッサ３１による指示にしたがい、ＯＦＤＭ復調マスタ部４から入力したＨＤＴＶ方式の信号のデコード処理を行ない、このデコード処理の結果得られる画像信号や音声信号を画像出力処理部４１や音声処理部４５に出力する（ステップＡ４）。
【００４１】
一方、ステップＡ３の処理の結果、外部電源が供給されておらず、バッテリ５３からの電源供給により装置が動作していると判別された場合には、簡易放送用プロセッサ３１は、前述したステップＳ５の処理と同様に、通常放送用プロセッサ１に対するデコード処理の開始の指示を行なわず、ＯＦＤＭ復調マスタ部４からの１セグメント方式の信号の入力を行なった上で、この信号のデコード処理を行ない、このデコード処理の結果得られる画像信号や音声信号を画像出力処理部４１や音声処理部４５に出力する（ステップＡ５）。この場合、通常放送用プロセッサ１は、ＯＦＤＭ復調マスタ部４からの信号入力は行なわない。
【００４２】
ステップＡ４またはＡ５の処理後は、電源状態のさらなる検出を行なわずに再生を継続してもよいし、ステップＡ２の処理に戻って電源状態の検出を再度行ない、この検出結果にしたがって放送形態の切り替えを再度行なうようにしてもよい。
【００４３】
このような処理を行なえば、放送受信装置が外部電源により駆動しておらず、バッテリ５３からの電源供給により動作している場合に、通常放送用プロセッサ１によるデコード処理を行なわず、その代わりとして、消費電力の少ない簡易放送用プロセッサ３１によるデコード処理を行なうようにしたので、バッテリ駆動時における放送視聴可能時間を長くすることができる。
【００４４】
また、本発明の実施形態にしたがった放送受信装置は、図３に示したフローチャートにしたがった機能の変形例として、外部電源が供給の有無、および、バッテリ電力容量の残量の大小に応じて、デコード処理の対象となる信号をＨＤＴＶ方式の信号と１セグメント方式の信号との間で切り替える機能を有する。
【００４５】
図４は、本発明の実施形態にしたがった放送受信装置の、外部電源の供給の有無およびバッテリ残量の大小にしたがった再生切り替え処理の一例を示すフローチャートである。  
まず、ユーザが、リモコンの各種キーを用いて、ＨＤＴＶ方式の放送を受信するための操作を行なって、この操作にしたがった制御信号がリモコン受光部３５および簡易放送用プロセッサ３１に入力される（ステップＢ１）と、プロセッサ３１は、電源状態検出部５４により検出された、電源状態の情報を取得する（ステップＢ２）。この時点では、通常放送用プロセッサ１および簡易放送用プロセッサ３１はＯＦＤＭ復調マスタ部４からの信号入力を行なわない。
【００４６】
簡易放送用プロセッサ３１は、ステップＡ２の処理で取得した情報にしたがって、電源回路５１に外部電源が供給されているか否かを判別する（ステップＢ３）。  
ステップＢ３の処理の結果、外部電源が供給されていると判別された場合には、簡易放送用プロセッサ３１は、前述したステップＳ４の処理と同様に、通常放送用プロセッサ１に対し制御信号を出力することでデコード処理の開始の指示を行なう。この場合、簡易放送用プロセッサ３１は、ＯＦＤＭ復調マスタ部４からの信号入力は行なわない。
【００４７】
通常放送用プロセッサ１は、簡易放送用プロセッサ３１による指示にしたがい、ＯＦＤＭ復調マスタ部４から入力したＨＤＴＶ方式の信号のデコード処理を行ない、このデコード処理の結果得られる画像信号や音声信号を画像出力処理部４１や音声処理部４５に出力する（ステップＢ４）。
【００４８】
一方、ステップＢ３の処理の結果、外部電源が供給されていない、つまり、バッテリ５３からの電源供給により装置が動作していると判別された場合には、簡易放送用プロセッサ３１は、残量検出部５５により検出されたバッテリ残量の情報を取得する（ステップＢ５）。
【００４９】
簡易放送用プロセッサ３１は、バッテリ残量の基準値を予め記憶している。簡易放送用プロセッサ３１は、ステップＢ５の処理で取得した現在のバッテリ電力容量の残量、および、バッテリ残量の基準値を比較して、現在のバッテリ電力容量の残量が基準値以下であるか否かを判別する（ステップＢ６）。
【００５０】
ステップＢ６の処理の結果、現在のバッテリ残量が基準値を超えていると判別された場合にはステップＢ４の処理に移行する。一方、ステップＢ６の処理の結果、現在のバッテリ残量が基準値以下であると判別された場合には、簡易放送用プロセッサ３１は、前述したステップＳ５の処理と同様に、通常放送用プロセッサ１に対するデコード処理の開始の指示を行なわず、ＯＦＤＭ復調マスタ部４からの１セグメント方式の信号を入力し、この信号のデコード処理を行ない、デコード処理の結果得られる画像信号や音声信号を画像出力処理部４１や音声処理部４５に出力する（ステップＢ７）。この場合、通常放送用プロセッサ１は、ＯＦＤＭ復調マスタ部４からの信号入力は行なわない。
【００５１】
ステップＢ４またはＢ５の処理後は、電源状態のさらなる検出を行なわずに再生を継続してもよいし、ステップＢ２の処理に戻って電源状態の検出を再度行ない、また、必要に応じてバッテリ残量の検出を再度行ない、この検出結果にしたがって放送形態の切り替えを再度行なうようにしてもよい。
【００５２】
このような処理を行なえば、図３に示したフローチャートにしたがった処理と比較して、放送受信装置がバッテリ５３からの電源供給により駆動している場合であっても、バッテリ残量が基準値以下となっていない場合には、通常放送用プロセッサ１によるデコード処理を行ない、バッテリ残量が基準値以下となった場合には、通常放送用プロセッサ１に代えて、消費電力の少ない簡易放送用プロセッサ３１によるデコード処理を行なうようにしたので、バッテリ駆動時であっても、バッテリ残量に余裕がある場合にはＨＤＴＶ方式の放送視聴を行なうことができる。よって視聴可能条件を拡張した上で利便性を向上させることができる。
【００５３】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５４】
【図１】本発明の実施形態にしたがった放送受信装置の構成例を示すブロック図。
【図２】本発明の実施形態にしたがった放送受信装置の、動作温度の大小にしたがった再生切り替え処理の一例を示すフローチャート。
【図３】本発明の実施形態にしたがった放送受信装置の、外部電源の供給の有無にしたがった再生切り替え処理の一例を示すフローチャート。
【図４】本発明の実施形態にしたがった放送受信装置の、外部電源の供給の有無およびバッテリ残量の大小にしたがった再生切り替え処理の一例を示すフローチャート。
【符号の説明】
【００５５】
１…通常放送用プロセッサ、２，５…アンテナ、３，６…チューナ、４…ＯＦＤＭ復調マスタ部、７…ＯＦＤＭ復調スレーブ部、３１…簡易放送用プロセッサ、３４…温度センサ、３５…リモコン受光部、４１…画像出力処理部、４２…ＤＡＣ（Ｄ／Ａコンバータ）、４３…ビデオ信号処理部、４４…表示部、４５…音声処理部、４６…音声出力部、５１…電源回路、５２…電源プラグ、５３…バッテリ、５４…電源状態検出部、５５…残量検出部。
【図１】
2006042060.tif 000003
【図２】
2006042060.tif 000004
【図３】
2006042060.tif 000005
【図４】
2006042060.tif 000006